(57)【要約】  ＶＡ方式のシングルドメイン方式、ゲストホスト方式による調光フィルムにおいて、透過光の制御に関して高い性能を確保する。  調光システム１は、調光フィルム１０と駆動電源２とを備え、調光フィルム１０は、第１の積層体１５Ｄ及び第２の積層体１５Ｕにより液晶層１８を挟持し、ＶＡ方式により液晶層１８の液晶分子の配向を制御して透過光を制御し、第１の積層体１５Ｄは、少なくとも第１の基材１６及び第１の電極２１を備え、第２の積層体１５Ｕは、少なくとも第２の基材２５及び第２の電極２６を備え、第１の電極２１及び第２の電極２６は、それぞれ、シート抵抗が５０Ω／□以上３００Ω／□以下であり、給電点から調光フィルム１０の面内の最も離れた位置までの距離Ｌが、１５００ｍｍ以下であり、駆動電源２は、周波数２４０Ｈｚ以下の矩形波により駆動用の電源を供給すること、を特徴とする。
2018021308.tif 000002
【特許請求の範囲】
【請求項１】
調光フィルムと前記調光フィルムに駆動用の電源を供給する駆動電源とを備えた調光システムであって、
前記調光フィルムは、
第１の積層体及び第２の積層体により液晶層を挟持し、ＶＡ方式により前記液晶層の液晶分子の配向を制御して透過光を制御する調光フィルムであり、
前記第１の積層体は、
少なくとも第１の基材及び第１の電極を備え、
前記第２の積層体は、
少なくとも第２の基材及び第２の電極を備え、
前記第１の電極及び前記第２の電極は、それぞれ、シート抵抗が５０Ω／□以上３００Ω／□以下であり、給電点から前記調光フィルムの面内の最も離れた位置までの距離が、１５００ｍｍ以下であり、
前記駆動電源は、周波数２４０Ｈｚ以下の矩形波により前記駆動用の電源を供給すること、
を特徴とする調光システム。
【請求項２】
請求項１に記載の調光システムにおいて、
前記駆動電源は、
周波数４５Ｈｚを超える矩形波により前記駆動用の電源を供給すること、
を特徴とする調光システム。
【請求項３】
請求項１又は請求項２に記載の調光システムにおいて、
給電点から前記調光フィルムの面内の最も離れた位置までの距離が、５０ｍｍ以上であること、
を特徴とする調光システム。
【請求項４】
請求項１から請求項３までの何れかに記載の調光システムにおいて、
前記第１の基材及び前記第１の電極の積層体、前記第２の基材及び前記第２の電極の積層体は、それぞれ、全光線透過率が８５％以上９２％以下であること、
を特徴とする調光システム。
【請求項５】
請求項１から請求項４までの何れかに記載の調光システムを備えたこと、
を特徴とする車両。
【請求項６】
駆動電源から駆動用の電源を供給して調光フィルムを駆動する調光フィルムの駆動方法であって、
前記調光フィルムは、
第１の積層体及び第２の積層体により液晶層を挟持し、ＶＡ方式により前記液晶層の液晶分子の配向を制御して透過光を制御する調光フィルムであり、
前記第１の積層体は、
少なくとも第１の基材及び第１の電極を備え、
前記第２の積層体は、
少なくとも第２の基材及び第２の電極を備え、
前記第１の電極及び前記第２の電極は、それぞれ、シート抵抗が５０Ω／□以上３００Ω／□以下であり、給電点から前記調光フィルムの面内の最も離れた位置までの距離が、１５００ｍｍ以下であり、
前記駆動電源は、周波数２４０Ｈｚ以下の矩形波により前記駆動用の電源を供給すること、
を特徴とする調光フィルムの駆動方法。
【請求項７】
調光フィルムと前記調光フィルムに駆動用の電源を供給する駆動電源とを備えた調光システムであって、
前記調光フィルムは、
液晶分子及び二色性色素を含む液晶層を第１の積層体及び第２の積層体により挟持し、前記液晶層の前記液晶分子及び前記二色性色素の配向を制御して透過光を制御する調光フィルムであり、
前記第１の積層体は、
少なくとも第１の基材及び第１の電極を備え、
前記第２の積層体は、
少なくとも第２の基材及び第２の電極を備え、
前記第１の電極及び前記第２の電極は、それぞれ、シート抵抗が５０Ω／□以上３００Ω／□以下であり、
給電点から前記調光フィルムの面内の最も離れた位置までの距離が、１２５０ｍｍ以下であり、
前記駆動電源は、
周波数４８０Ｈｚ以下の矩形波により前記駆動用の電源を供給すること、
を特徴とする調光システム。
【請求項８】
請求項７に記載の調光システムにおいて、
前記駆動電源は、
周波数４５Ｈｚを超える矩形波により前記駆動用の電源を供給すること、
を特徴とする調光システム。
【請求項９】
請求項７又は請求項８に記載の調光システムにおいて、
給電点から前記調光フィルムの面内の最も離れた位置までの距離が、５０ｍｍ以上であること、
を特徴とする調光システム。
【請求項１０】
請求項７から請求項９までの何れかに記載の調光システムにおいて、
前記第１の基材及び前記第１の電極の積層体、前記第２の基材及び前記第２の電極の積層体は、それぞれ、全光線透過率が８５％以上９２％以下であること、
を特徴とする調光システム。
【請求項１１】
請求項７から請求項１０までの何れかに記載の調光システムを備えたこと、
を特徴とする車両。
【請求項１２】
駆動電源から駆動用の電源を供給して調光フィルムを駆動する調光フィルムの駆動方法であって、
前記調光フィルムは、
第１の積層体及び第２の積層体により液晶層を挟持し、ゲストホスト方式により前記液晶層の液晶分子の配向を制御して透過光を制御する調光フィルムであり、
前記第１の積層体は、
少なくとも第１の基材及び第１の電極を備え、
前記第２の積層体は、
少なくとも第２の基材及び第２の電極を備え、
前記第１の電極及び前記第２の電極は、それぞれ、シート抵抗が５０Ω／□以上３００Ω／□以下であり、
給電点から前記調光フィルムの面内の最も離れた位置までの距離が、１２５０ｍｍ以下であり、
前記駆動電源は、
周波数４８０Ｈｚ以下の矩形波により前記駆動用の電源を供給すること、
を特徴とする調光フィルムの駆動方法。
【発明の詳細な説明】
【技術分野】
【０００１】
本発明は、例えば車両の窓、建築物の窓等に貼り付けて外来光の透過を制御する電子ブラインド等に利用可能な調光フィルムに関する。
【背景技術】
【０００２】
従来、例えば窓に貼り付けて外来光の透過を制御する調光フィルムに関する工夫が種々に提案されている（特許文献１、２）。このような調光フィルムの１つに、液晶を利用したものがある。この液晶を利用した調光フィルムは、透明電極を作製した透明フィルム材により液晶材料を挟持して液晶セルが作製され、この液晶セルを直線偏光板により挟持して作成される。これによりこの調光フィルムでは、液晶に印加する電界の可変により液晶の配向を可変して外来光を遮光したり透過したりし、さらには透過光量を可変したりし、これらにより外来光の透過を制御する。【０００３】
このような調光フィルムにおける液晶セルの駆動には、液晶表示パネルについて提案されている種々の駆動方法を適用することができる。具体的には、例えばＴＮ（Ｔｗｉｓｔｅｄ  Ｎｅｍａｔｉｃ）方式、ＩＰＳ（Ｉｎ−Ｐｌａｎｅ−Ｓｗｉｔｃｈｉｎｇ）方式、ＶＡ（Ｖｅｒｔｉｃａｌ  Ａｌｉｇｎｍｅｎｔ）方式等の駆動方式を適用することができる。【０００４】
また液晶セルの駆動には、シングルドメイン方式、マルチドメイン方式があり、特許文献３には、マルチドメイン化により視野角特性を向上する工夫が提案されている。【０００５】
ここでＶＡ方式は、液晶の配向を垂直配向と水平配向とで変化させて透過光を制御する方式であり、一般的に、無電界時、液晶を垂直配向させることにより、液晶層を垂直配向層により挟持して液晶セルが構成され、電界の印加により液晶材料を水平配向させるように構成される。またマルチドメイン方式は、電界の可変に対して液晶分子の挙動が異なる領域（ドメイン）を複数設ける方式であり、一般的に、複数領域における光学特性の平均値化（積分化）により視野角特性を向上するために適用される。シングルドメイン方式は、液晶セルに１つのドメインのみを設ける方式である。【０００６】
またこの種の調光フィルムには、ゲストホスト液晶を利用したものが提案されている（特許文献４、５）。このようなゲストホスト液晶による液晶セルでは、液晶分子と二色性色素とがランダムに配向した状態と、いわゆるツイスト配向した状態とを電界の制御により変化させて透過光量を制御する。【０００７】
ところで調光フィルムは、例えば窓ガラス等に貼り付けて大面積により種々の用途で使用することが予測される。従って簡易な構成により作製できることが望まれる。また窓ガラスに貼り付けて使用する場合、カーテンの機能を担う場合も予測されることにより、充分に入射光を遮光できることが求められる。これらによりＶＡ方式のシングルドメイン方式や、ゲストホスト方式で駆動することが考えられる。【０００８】
しかしながらこのようにＶＡ方式によるシングルドメイン方式、ゲストホスト方式を適用する場合にあっても、調光フィルムは、透過光の制御に関して高い性能を確保することが望まれる。
【先行技術文献】
【特許文献】
【０００９】
【特許文献１】特開平０３−４７３９２号公報
【特許文献２】特開平０８−１８４２７３号公報
【特許文献３】特開平１１−２４２２２５号公報
【特許文献４】特開２０１３−１３９５２１号公報
【特許文献５】特開２０１２−３１３８４号公報
【発明の概要】
【発明が解決しようとする課題】
【００１０】
本発明はこのような状況に鑑みてなされたものであり、ＶＡ方式のシングルドメイン方式による調光フィルム、ゲストホスト方式による調光フィルムにおいて、透過光の制御に関して高い性能を確保することができるようにする。
【課題を解決するための手段】
【００１１】
本発明者は、上記課題を解決するために鋭意研究を重ね、駆動周波数、透過率、電極の抵抗値等を検討する、との着想に至り、本発明を完成するに至った。【００１２】
具体的には、本発明では、以下のようなものを提供する。【００１３】
（１）  調光フィルムと前記調光フィルムに駆動用の電源を供給する駆動電源とを備えた調光システムであって、
前記調光フィルムは、
第１の積層体及び第２の積層体により液晶層を挟持し、ＶＡ方式により前記液晶層の液晶分子の配向を制御して透過光を制御する調光フィルムであり、
前記第１の積層体は、
少なくとも第１の基材及び第１の電極を備え、
前記第２の積層体は、
少なくとも第２の基材及び第２の電極を備え、
前記第１の電極及び前記第２の電極は、それぞれ、シート抵抗が５０Ω／□以上３００Ω／□以下であり、給電点から前記調光フィルムの面内の最も離れた位置までの距離が、１５００ｍｍ以下であり、
前記駆動電源は、周波数２４０Ｈｚ以下の矩形波により前記駆動用の電源を供給すること、
を特徴とする調光システム。【００１４】
（２）  （１）において、
前記駆動電源は、
周波数４５Ｈｚを超える矩形波により前記駆動用の電源を供給すること、
を特徴とする調光システム。【００１５】
（３）  （１）又は（２）において、
給電点から前記調光フィルムの面内の最も離れた位置までの距離が、５０ｍｍ以上であること、
を特徴とする調光システム。【００１６】
（４）  （１）から（３）の何れかにおいて、
前記第１の基材及び前記第１の電極の積層体、前記第２の基材及び前記第２の電極の積層体は、それぞれ、全光線透過率が８５％以上９２％以下であること、
を特徴とする調光システム。【００１７】
（５）  （１）から（４）の何れかの調光システムを備えたこと、
を特徴とする車両。【００１８】
（６）  駆動電源から駆動用の電源を供給して調光フィルムを駆動する調光フィルムの駆動方法であって、
前記調光フィルムは、
第１の積層体及び第２の積層体により液晶層を挟持し、ＶＡ方式により前記液晶層の液晶分子の配向を制御して透過光を制御する調光フィルムであり、
前記第１の積層体は、
少なくとも第１の基材及び第１の電極を備え、
前記第２の積層体は、
少なくとも第２の基材及び第２の電極を備え、
前記第１の電極及び前記第２の電極は、それぞれ、シート抵抗が５０Ω／□以上３００Ω／□以下であり、給電点から前記調光フィルムの面内の最も離れた位置までの距離が、１５００ｍｍ以下であり、
前記駆動電源は、周波数２４０Ｈｚ以下の矩形波により前記駆動用の電源を供給すること、
を特徴とする調光フィルムの駆動方法。【００１９】
（７）  調光フィルムと前記調光フィルムに駆動用の電源を供給する駆動電源とを備えた調光システムであって、
前記調光フィルムは、
液晶分子及び二色性色素を含む液晶層を第１の積層体及び第２の積層体により挟持し、前記液晶層の前記液晶分子及び前記二色性色素の配向を制御して透過光を制御する調光フィルムであり、
前記第１の積層体は、
少なくとも第１の基材及び第１の電極を備え、
前記第２の積層体は、
少なくとも第２の基材及び第２の電極を備え、
前記第１の電極及び前記第２の電極は、それぞれ、シート抵抗が５０Ω／□以上３００Ω／□以下であり、給電点から前記調光フィルムの面内の最も離れた位置までの距離が、１２５０ｍｍ以下であり、
前記駆動電源は、周波数４８０Ｈｚ以下の矩形波により前記駆動用の電源を供給すること、
を特徴とする調光システム。【００２０】
（８）  （７）において、
前記駆動電源は、
周波数４５Ｈｚを超える矩形波により前記駆動用の電源を供給すること、
を特徴とする調光システム。【００２１】
（９）  （７）又は（８）において、
給電点から前記調光フィルムの面内の最も離れた位置までの距離が、５０ｍｍ以上であること、
を特徴とする調光システム。【００２２】
（１０）  （７）から（９）の何れかにおいて、
前記第１の基材及び前記第１の電極の積層体、前記第２の基材及び前記第２の電極の積層体は、それぞれ、全光線透過率が８５％以上９２％以下であること、
を特徴とする調光システム。【００２３】
（１１）  （７）から（１０）までの何れかの調光システムを備えたこと、
を特徴とする車両。【００２４】
（１２）  駆動電源から駆動用の電源を供給して調光フィルムを駆動する調光フィルムの駆動方法であって、
前記調光フィルムは、
第１の積層体及び第２の積層体により液晶層を挟持し、ゲストホスト方式により前記液晶層の液晶分子の配向を制御して透過光を制御する調光フィルムであり、
前記第１の積層体は、
少なくとも第１の基材及び第１の電極を備え、
前記第２の積層体は、
少なくとも第２の基材及び第２の電極を備え、
前記第１の電極及び前記第２の電極は、それぞれ、シート抵抗が５０Ω／□以上３００Ω／□以下であり、給電点から前記調光フィルムの面内の最も離れた位置までの距離が、１２５０ｍｍ以下であり、
前記駆動電源は、周波数４８０Ｈｚ以下の矩形波により前記駆動用の電源を供給すること、
を特徴とする調光フィルムの駆動方法。
【発明の効果】
【００２５】
本発明は、ＶＡ方式のシングルドメイン方式による調光フィルム、ゲストホスト方式による調光フィルムにおいて、透過光の制御に関して高い性能を確保することができる。
【図面の簡単な説明】
【００２６】
【図１】本発明の第１実施形態に係る調光システムに適用される調光フィルムを示す図である。
【図２】本発明の第１実施形態に係る調光システムを示す図である。
【図３】駆動用の電源Ｖの周波数を可変して透光時における透過率を計測した計測結果を示す図である。
【図４】透光時における図２の調光システムの給電点からの距離Ｌにおける透過率と電源周波数との関係を示す図である。
【図５】図４の透過率の判定結果を示す図である。
【図６】図２の調光システムにおける給電点の説明に供する図である。
【図７】図２の調光システムにおける給電点の説明に供する電源の周波数を変化させた例における図である。
【図８】本発明の第２実施形態に係る調光システムを示す図である。
【図９】本発明の第２実施形態に係る調光システムの透光時における給電点からの距離Ｌにおける透過率と電源周波数との関係を示す図である。
【図１０】図９の透過率の判定結果を示す図である。
【図１１】本発明の第３実施形態に係る車両を示す図である。
【発明を実施するための形態】
【００２７】
〔第１実施形態〕
〔調光フィルム〕
図１は、本発明の第１実施形態に係る調光システムに適用される調光フィルムを示す断面図である。この調光フィルム１０は、液晶を利用して透過光を制御するフィルム材あり、印加電圧の可変によりＶＡ方式のシングルドメイン方式により液晶の配向を可変して透過光を制御する。
【００２８】
調光フィルム１０は、直線偏光板１２、１３により調光フィルム用の液晶セル１４を挟持して構成される。ここで直線偏光板１２、１３は、ポリビニルアルコール（ＰＶＡ）にヨウ素等を含浸させた後、延伸して直線偏光板としての光学的機能を果たす光学機能層が形成され、ＴＡＣ（トリアセチルセルロース）等の透明フィルム材による基材により光学機能層を挟持して作製される。直線偏光板１２、１３は、クロスニコル配置により、紫外線硬化性樹脂等による接着剤層により液晶セル１４に配置される。なお直線偏光板１２、１３には、それぞれ液晶セル１４側に光学補償に供する位相差フィルム１２Ａ、１３Ａが設けられるものの、位相差フィルム１２Ａ、１３Ａは、必要に応じて省略してもよい。
【００２９】
液晶セル１４は、後述する透明電極への印加電圧により透過光の偏光面を制御する。これにより調光フィルム１０は、透過光を制御して種々に調光を図ることができるように構成される。
【００３０】
〔液晶セル〕
液晶セル１４は、フィルム形状による第１及び第２の積層体である下側積層体１５Ｄ及び上側積層体１５Ｕにより液晶層１８を挟持して構成される。下側積層体１５Ｄは、透明フィルム材による基材１６に、透明電極２１、スペーサー２２、配向層２３を作製して形成される。上側積層体１５Ｕは、透明フィルム材による基材２５に、透明電極２６、配向層２７を積層して形成される。液晶セル１４は、この下側積層体１５Ｄ及び上側積層体１５Ｕに設けられた透明電極２１、２６の駆動により、ＶＡ方式により液晶層１８に設けられた液晶の配向を制御し、これにより透過光の偏光面を制御する。液晶セル１４は、この実施形態では、シングルドメイン方式により構成される。
【００３１】
基材１６、２５は、この種のフィルム材に適用可能な種々の透明フィルム材を適用することができるものの、光学異方性の小さなフィルム材を適用することが望ましい。基材１６、２５は、ポリカーボネートフィルムを適用してもよく、さらにはＣＯＰ（シクロオレフィンポリマー）フィルム等を適用してもよい。
【００３２】
透明電極２１、２６（以下、単に電極２１、２６ともいう）は、この種のフィルム材に適用される各種の電極材料を適用することができ、この実施形態ではＩＴＯ（Ｉｎｄｉｕｍ  Ｔｉｎ  Ｏｘｉｄｅ）による透明電極材により形成される。スペーサー２２は、液晶層１８の厚みを規定するために設けられ、各種の樹脂材料を広く適用することができるものの、この実施形態ではフォトレジストにより作製され、透明電極２１を作製してなる基材１６の上に、フォトレジストを塗工して露光、現像することにより作製される。なおスペーサー２２は、上側積層体１５Ｕに設けるようにしてもよく、上側積層体１５Ｕ及び下側積層体１５Ｄの双方に設けるようにしてもよい。またスペーサー２２は、配向層２３の上に設けるようにしてもよい。またスペーサーは、いわゆるビーズスペーサーを適用してもよい。
【００３３】
配向層２３、２７は、光配向層により形成される。ここでこの光配向層に適用可能な光配向材料は、光配向の手法を適用可能な各種の材料を広く適用することができるものの、この実施形態では、例えば光２量化型の材料を使用する。この光２量化型の材料については、「M.Schadt,  K.Schmitt,  V.  Kozinkov  and  V.  Chigrinov  :  Jpn.  J.  Appl.Phys.,  3１,  ２１55  (１99２)」、「M.  Schadt,  H.  Seiberle  and  A.  Schuster  :  Nature,  38１,  ２１２(１996)」等に開示されている。
【００３４】
液晶層１８は、この種の調光フィルムに適用可能な各種の液晶材料を広く適用することができる。具体的に、液晶層１８には、例えばメルク社製ＭＬＣ２１６６等の液晶材料を適用することができる。なお液晶セル１４は、液晶層１８を囲むように、シール材２９が配置され、このシール材２９により上側積層体１５Ｕ、下側積層体１５Ｄが一体に保持され、液晶材料の漏出が防止される。ここでシール材２９は、例えばエポキシ樹脂、紫外線硬化性樹脂等を適用することができる。
【００３５】
これらにより調光フィルム１０は、上側積層体１５Ｕ及び下側積層体１５Ｄの透明電極２１、２６に印加される駆動用の電源により液晶層１８に設けられた液晶の配向を制御し、透過光量を制御する。
【００３６】
〔調光システム〕
図２は、この調光フィルム１０を使用した調光システム１の説明に供する図である。調光システム１は、調光フィルム１０が車両の外光が入射する部位（フロントウインドウや、サイドウインドウ、リアウインドウ、ルーフウインドウ等）や、窓ガラス、透明パーテーション等の調光を図る部位に貼付けられて保持される。調光システム１は、この調光フィルム１０に駆動電源２から駆動用の電源を供給し、これにより透明電極２１、２６に駆動用の電源Ｖ０を供給する。調光システム１では、この駆動用の電源Ｖ０の振幅をユーザーの操作等により可変し、これにより調光フィルム１０の透過率を制御して調光を図る。
【００３７】
ここで調光フィルム１０は、平面視、正方形形状により形成され、この正方形形状に係る一辺のほぼ中央に、給電点Ｐが設けられる。ここで給電点Ｐは、駆動電源２から供給される駆動用の電源Ｖ０を、透明電極２１、２６に給電する給電点であり、例えば駆動電源２に接続された両面フレキシブル配線基板を、シール材２９の外方に延出して対向するように保持された透明電極２１、２６間に配置して形成される。調光フィルム１０は、一辺の長さが２８０ｍｍにより作製される。
【００３８】
駆動電源２は、周波数４５Ｈｚを超える周波数であって周波数２４０Ｈｚ以下の矩形波により、好ましくは周波数６０Ｈｚ以上１２０Ｈｚ以下の矩形波により、より好ましくは６０Ｈｚ以上８０Ｈｚ以下の矩形波により、振幅０Ｖ〜２０Ｖの範囲で駆動用の電源Ｖ０を供給する。これによりこの調光システム１では、充分な透過率を確保して効率良く調光フィルム１０を駆動する。より具体的には、遮光時（無電界時）における透過率が１．０％以下であり、透光時（最大振幅により駆動用の電源Ｖ０を供給した場合）の透過率が２６％以上であるように設定する。なお、本発明における透過率とは、ＪＩＳ  Ｋ  ７３６１にて規定される全光線透過率を意味する。
【００３９】
すなわちこの種の調光システム１は、調光フィルム１０を窓ガラスに貼り付けて、カーテンの代わりに外来光の遮光に利用する場合がある。この場合、透過光を充分に遮光することが望まれる。種々に検討した結果、遮光時の透過率が１．０％を超える場合には、遮光が不十分であるとの評価が得られるものの、遮光時の透過率が１．０％以下である場合には、遮光に関して充分であるとの評価結果が得られた。
【００４０】
これに対して調光フィルム１０は、直線偏光板１２、１３と液晶層１８との積層により構成されることにより、透光時の透過率は５０％未満である。しかしながら窓に貼り付けて使用する場合、透光時、外光を屋内に取り入れることが目的である場合もあり、この場合、充分な透過率を確保することが望ましい。これによりこの実施形態では、透光時の透過率を２６％以上として、充分な透過率を確保する。
【００４１】
〔電源の周波数〕
ここで図３は、駆動用の電源Ｖの周波数を可変して透光時における透過率を計測した計測結果を示す図である。Ｌ２５、Ｌ５０、Ｌ１５０、Ｌ２５０は、それぞれ給電点Ｐから、給電点Ｐに係る１辺の延長方向と直交する方向に距離２５ｍｍ、５０ｍｍ、１５０ｍｍ、２５０ｍｍだけ離間した部位での計測結果である。計測に使用した調光フィルムは、１辺の長さが２８０ｍｍの正方形形状による調光フィルムであり、図２について上述した１箇所に給電点が設定された調光フィルムを使用した。なお透明電極２１、２６は、ＩＴＯを使用して厚み２９ｎｍ、シート抵抗２００Ω／□により作製した。基材１６、２５は、両面に厚み１．５〜３μｍのハードコート層を備えた厚み１００μｍのＣＯＰフィルム材を適用し、ＩＴＯの下層に厚み９０〜１１０μｍによるインデックスマッチング層を設けた。なお電源Ｖ０は、振幅１０Ｖ、デユーティー比５０％の矩形波である。
【００４２】
この計測結果によれば、周波数が高くなるに従って、給電点Ｐからの距離の大きい箇所で透過率が低下し、これにより破線Ｌ１により示す周波数２４０Ｈｚ以下により調光フィルムを駆動して透過率の低下を防止できることが判る。この透過率の低下は、電極２１、２６による静電容量の充放電により波形なまりが発生し、その結果、液晶層１８への印加電圧が低下することによるものと考えられる。またこのように周波数が高くなると、電極２１、２６による静電容量の充放電により消費電力が増大し、効率良く透過光を制御できなくなる。
【００４３】
これに対して破線Ｌ２により示す周波数４５Ｈｚ以下では、駆動用の電源Ｖ０における極性の切替によるちらつき（フリッカ）が発生する。
【００４４】
図４は、図２の調光システムの給電点からの距離Ｌにおける透過率と電源周波数との関係を示す図である。ここで、図４に示す、Ｌ＝２５ｍｍ〜２５０ｍｍまでの透過率は、実測結果であり、Ｌ＝５００ｍｍ〜３０００ｍｍの透過率は、上述の実測結果に基づいて近似式を求め、その近似式に基づいて求めた結果である。
図５は、図４の透過率の判定結果を示す図である。図５においては、透過率２９％以上を「〇」、透過率２６％以上２９％未満を「△」、透過率２６％未満を「×」により示す。判定結果「○」及び「△」は、透過率が２６％以上であり実用上十分であるものと判定する。
【００４５】
この図４及び図５によれば、透光時において、給電点からの距離Ｌが１５００ｍｍ以下の範囲では、周波数２４０Ｈｚ以下の矩形波により駆動して、透過率を実用上十分な範囲（透過率２６％以上）に制御できることが確認された。また、周波数１２０Ｈｚ以下の矩形波により駆動すれば、図５に示すように、透過率の判定結果を全て「○」にすることができ、２９％以上の透過率に制御できることが確認された。
これに対して、駆動周波数が２４０Ｈｚよりも大きくなると、距離Ｌが大きい場合に十分な透過率を確保できないことが確認された。
【００４６】
以上より、この実施形態では、給電点からの距離Ｌが１５００ｍｍ以下の範囲において、４５Ｈｚを超える周波数であって２４０Ｈｚ以下の周波数の矩形波により、好ましくは周波数６０Ｈｚ以上１２０Ｈｚ以下の矩形波により、より好ましくは６０Ｈｚ以上８０Ｈｚ以下の矩形波により駆動用の電源Ｖ０を供給することにより、ちらつきを有効に回避するとともに、十分な透過率を確保し、さらに効率良く調光フィルム１０を駆動することができる。
【００４７】
〔シート抵抗〕
ところで図３、図４について上述した透過率の変化は、電極２１、２６の抵抗と静電容量によるものであることにより、電極２１、２６が形成されるシート抵抗により大きく変化することになる。ここで、シート抵抗とは、図１における、基材１６及び透明電極２１の積層体、又は、基材２５及び透明電極２６の積層体の状態で測定した、透明電極２１、透明電極２６のシート抵抗を意味する。
【００４８】
そこでこの実施形態では、電極２１、２６は、シート抵抗が５０Ω／□以上３００Ω／□以下であるように設定される。なおシート抵抗は、好ましくは５０Ω／□以上２００Ω／□以下であり、より好ましくは５０Ω／□以上１５０Ω／□以下であるように設定される。ここで図３について上述したように、基材１６、２５は、両面に厚み１．５〜３μｍのハードコート層を備えた厚み１００μｍのＣＯＰフィルム材を基材１６、２５に適用し、厚み９０〜１１０μｍによるインデックスマッチング層、厚み２９ｎｍによるＩＴＯ膜を作製した場合、電極２１、２６をシート抵抗２００Ω／□により作製することができる。またこれに代えて両面に厚み１．５〜３μｍのハードコート層を備えた厚み１００μｍのポリカーボネートフィルム材を基材１６、２５に適用し、厚み９０〜１１０μｍによるインデックスマッチング層、厚み２９ｎｍによるＩＴＯ膜を作製した場合、電極２１、２６をシート抵抗２００Ω／□により作製することができる。なお、電極のシート抵抗とは、測定対象として電極基材表面（電極面）を室温条件で、四探針法を用いた試験法によって測定した値である。
【００４９】
より具体的には、測定対象の調光フィルム１０において、下側積層体１５Ｄ及び上側積層体１５Ｕを剥離した後、それぞれメタノール等のアルコールで洗浄して液晶層１８の液晶材料を洗い流す。
その後、アセトン又はＮ−メチル−２−ピロリドンを浸した布（ワイパー）で表面を擦り、面内複数個所（例えば、面内を９等分し、９等分された各領域の中心）で配向層２３、２７を除去して、透明電極２１、２６を露出させる。
そして、抵抗率計（三菱ケミカルアナテリック社製  Ｌｏｒｅｓｔａ−ＡＸ  ＭＣＰ−Ｔ３７０）を用いてシート抵抗を、複数の計測箇所において測定し、その測定結果を平均化して求める。
なお、この計測結果の処理においては、複数個所の測定結果のうち、他点の測定結果から大きく外れる箇所（３σを超える結果となった箇所）は、配向層の除去不十分や電極の損傷等が推定されるため、必要に応じて別な箇所で改めて測定を行う。
【００５０】
このようにシート抵抗を５０Ω／□以上３００Ω／□以下として電極２１、２６を作製することにより、この実施形態では、駆動用の電源の周波数を設定してちらつきを有効に回避し、さらに、充分な透過率を確保し、効率良く調光を図ることができる。すなわちシート抵抗が大きくなると、波形なまりも大きくなり、これにより透過率が低下することになる。また駆動用の電源の周波数の低下によるちらつきも目立ち易くなる。これにより上述した範囲の周波数で調光フィルムを駆動した場合あっても、ちらつきが知覚され、さらには透過率の低下が知覚される恐れがある。これによりこの実施形態では、ちらつきを有効に回避して充分な透過率を確保し、透過光の制御に関して高い性能を確保することができる。
【００５１】
〔積層体の透過率〕
ところでこのようにシート抵抗を小さくしても、電極２１、２６自体の透過率が低下すると、全体的に透過率が低下し、透光時における透過率が低下することになる。そこでこの実施形態では、電極２１と基材１６との積層体、電極２６と基材２５との積層体において、それぞれ透過率（全光線透過率）が８５％以上９２％以下であるように、好ましくは８９％以上９０％以下であるようにする。なお、シート抵抗を５０Ω／□以上とすることで上記の透過率を確保できる。
【００５２】
これによりこの実施形態では、透光時、充分な透過率を確保して、透過光の制御に関して高い性能を確保することができる。
【００５３】
〔給電点〕
図６及び図７は、図３との対比により、それぞれ駆動用の電源Ｖ０の周波数を６０Ｈｚ、４８０Ｈｚとして、給電点Ｐからの距離Ｌによる透過率の計測結果を示す図である。この図６及び図７の計測結果によれば、駆動用の電源Ｖ０の周波数が４８０Ｈｚのとき、給電点Ｐからの距離Ｌが大きくなれば、透過率の低下が著しいことが判る。これにより調光フィルム１０を大面積により作製する場合、給電点Ｐから遠ざかった部位で局所的な透過率の低下が予測される。
【００５４】
そこでこの実施形態では、図２に示すように、調光フィルム１０の面内の任意の箇所から、給電点Ｐまでの距離Ｌが、１５００ｍｍ以下となるように設定される。
ここで、調光フィルム１０を一辺の長さ２８０ｍｍの正方形形状により作製して実験したところ、図３に示すように、周波数２４０Ｈｚ以下による駆動によっては、距離Ｌが３３０ｍｍであっても、透過率が２６％未満となるような局所的な透過率の低下が観察されないことが判った。なお、この実験では、給電点Ｐが１辺の中央であることにより、図３について上述した調光フィルムでは、この給電点Ｐから最も遠ざかった対向する辺の端部までの距離Ｌは、約３３０ｍｍ（（（２８０）２＋（２８０／２）２）１／２）である。
【００５５】
また、上記実験結果及びこの結果に基づいて求められた図４及び図５に示す透過率の結果によれば、調光フィルム１０の面内の任意の箇所から、給電点Ｐまでの距離Ｌが、１５００ｍｍ以下であるように設定すれば、透過率が２６％未満となるような局所的な透過率の低下を防止することができることが確認された。
したがって、例えば、この図２に示す例よりも調光フィルムが大型化した場合にあっては、給電点Ｐまでの距離Ｌが１５００ｍｍ以下であるように給電点Ｐを設定することにより、調光フィルムの局所的な透過率の低下を防止することができる。
【００５６】
また、調光フィルムは、上述したように、車両の各ウインドウ等の外光が入射する部位や、建築物の窓等の面積の広い部位に用いられるため、給電点からの距離Ｌが少なくとも５０ｍｍ以上であることが望ましい。
なお、図３の計測結果によれば、距離Ｌが５０ｍｍ以上の場合に、周波数の増大による透過率の低下が著しくなる傾向となるが、上述の電源の周波数、シート抵抗の設定により、透過率の局所的な変化を極力抑制することができる。
【００５７】
以上より、本実施形態の調光システム１は、以下のような効果を奏する。
（１）本実施形態の調光システム１は、調光フィルム１０と駆動電源２とを備え、調光フィルム１０は、第１の積層体１５Ｄ及び第２の積層体１５Ｕにより液晶層１８を挟持し、ＶＡ方式により液晶層１８の液晶分子の配向を制御して透過光を制御している。第１の積層体１５Ｄは、少なくとも第１の基材１６及び第１の電極２１を備え、第２の積層体１５Ｕは、少なくとも第２の基材２５及び第２の電極２６を備え、第１の電極２１及び第２の電極２６は、それぞれ、シート抵抗が５０Ω／□以上３００Ω／□以下であり、給電点Ｐから調光フィルム１０内の最も離れた位置までの距離Ｌが、１５００ｍｍ以下である。また駆動電源２は、周波数２４０Ｈｚ以下の矩形波により駆動用の電源を供給する。
これにより、調光システム１は、電極２１、２６間の静電容量の充放電による波形なまりを十分に抑圧して、局所的な透過率の低下を極力抑制することができ、これによって透過光の制御に関して高い性能を確保することができる。
【００５８】
（２）また、本実施形態の調光システム１は、駆動電源２が、周波数４５Ｈｚを超える矩形波により駆動用の電源Ｖ０を供給することにより、電源の極性の切り替えが起因となるちらつき（フリッカ）が発生してしまうのを抑制することができる。
【００５９】
（３）本実施形態の調光システム１は、給電点Ｐから調光フィルム１０の面内の最も離れた位置までの距離Ｌが、５０ｍｍ以上であることにより、車両の各ウインドウ等の外光が入射する部位や、建築物の窓等の面積の広い部位に対して調光システムを設けることができる。
【００６０】
（４）本実施形態の調光システム１は、第１の基材１６及び第１の電極２１の積層体１５Ｕ、第２の基材２５及び第２の電極２６の積層体１５Ｄが、それぞれ、全光線透過率が８５％以上９２％以下であることにより、これらの積層体による透過率の低下を有効に回避して、透光時、十分な透過率を確保し、透過光の制御に関して一段と高い性能を確保することができる。
【００６１】
（５）本実施形態の調光フィルムの駆動方法は、駆動電源２から駆動用の電源Ｖ０を供給して調光フィルム１０を駆動しており、調光フィルム１０は、第１の積層体１５Ｄ及び第２の積層体１５Ｕにより液晶層１８を挟持し、ＶＡ方式により液晶層１８の液晶分子の配向を制御して透過光を制御している。第１の積層体１５Ｄは、少なくとも第１の基材１６及び第１の電極２１を備え、第２の積層体１５Ｕは、少なくとも第２の基材２５及び第２の電極２６を備え、第１の電極２１及び第２の電極２６は、それぞれ、シート抵抗が５０Ω／□以上３００Ω／□以下であり、給電点Ｐから調光フィルム１０内の最も離れた位置までの距離Ｌが、１５００ｍｍ以下である。また駆動電源２は、周波数２４０Ｈｚ以下の矩形波により駆動用の電源を供給する。
これにより、波形なまりを十分に抑圧して、局所的な透過率の低下を防止することができ、調光フィルムの駆動方法は、透過光の制御に関して高い性能を確保することができる。
【００６２】
〔第２実施形態〕
〔調光フィルム〕
図８は、第２実施形態に係る調光システムを示す図である。
この実施形態の調光システム１０１は、この調光フィルム１１０に関する構成が異なる点を除いて、第１実施形態の調光システム１と同一に構成される。
【００６３】
調光フィルム１１０は、ゲストホスト方式による調光フィルムにより形成される。このため調光フィルム１１０は、このゲストホスト方式の液晶セル１０４により構成され、上述の第１実施形態の調光フィルム１０に設けられた直線偏光板が省略されている。
【００６４】
〔液晶セル〕
液晶セル１０４は、フィルム状の下側積層体（第１の積層体）１０５Ｄ及び上側積層体（第２の積層体）１０５Ｕにより液晶層１０８を挟持して構成される。
【００６５】
〔下側積層体及び上側積層体〕
下側積層体１０５Ｄは、基材１０６に、透明電極１１１、スペーサー１１２、配向層１１３を配置して形成される。
上側積層体１０５Ｕは、基材１１５に、透明電極１１６、配向層１１７を配置して形成される。調光フィルム１１０は、この上側積層体１０５Ｕ及び下側積層体１０５Ｄに設けられた透明電極１１１、１１６の駆動により、液晶層１０８に設けられた液晶分子１０８Ａへの電界を変化させて、入射した光の透過率を制御することができる。
【００６６】
〔基材〕
基材１０６、１１５は、この種のフィルム材に適用可能な種々の透明フィルム材を適用することができる。この実施形態において、基材１０６、１１５は、ポリカーボネートフィルムが適用されるものの、ＣＯＰ（シクロオレフィンポリマー）フィルム、ＴＡＣフィルム等を適用してもよい。
【００６７】
〔透明電極〕
透明電極１１１、１１６は、この種のフィルム材に適用される各種の電極材料を適用することができ、この実施形態ではＩＴＯ（Ｉｎｄｉｕｍ  Ｔｉｎ  Ｏｘｉｄｅ）による透明電極材により形成される。
【００６８】
〔スペーサー〕
スペーサー１１２は、液晶層１０８の厚みを規定するために設けられ、各種の樹脂材料を広く適用することができる。本実施形態では、スペーサー１１２は、フォトレジストにより作製され、透明電極１１１が形成された基材１０６の上に、フォトレジストを塗工して露光、現像することにより作製される。
なお、スペーサー１１２は、基材１０６上であれば、任意の積層位置に設けることができる。例えば、図８に示す形態の他、配向層１１３上に、設けるようにしてもよく、また基材１０６と透明電極１１１との間に設けるようにしてよい。
一方の積層体にのみ電極が設けられている場合、スペーサー１１２は、基材の直上に設けられるようにしたり、基材上に配向層を形成し、その上に設けられるようにしたりすることができる。
【００６９】
スペーサー１１２には、フォトレジストの代わりにビーズスペーサーを適用することができる。なお、ビーズスペーサーは、球形状だけでなく、ロッド形状（円筒形状）や、楕円球形状等の形状を用いてもよい。
スペーサー１１２にビーズスペーサーを用いる場合、ビーズスペーサーは、配向層を形成した後に、配向層上に散布されることによって配置される。この場合、液晶層１０８内（配向層上）におけるビーズスペーサーの移動を抑制する観点から、ビーズスペーサーの表面に粘着剤等により形成される固着層を設けるようにしてもよい。
また、液晶層１０８内におけるビーズスペーサーの移動を抑制する観点から、配向層を形成する樹脂にビーズスペーサーを予め分散させて配向層の形成とともにビーズスペーサーを配置するようにしたり、液晶層を構成する液晶材料にビーズスペーサーを予め分散させて液晶層の形成とともにビーズスペーサーを配置するようにしたりすることも可能である。
なお、ビーズスペーサーは、上述のフォトレジストのスペーサーと同様に、第１の積層体及び第２の積層体のいずれか一方に配置されるようにしてもよく、また、各積層体のそれぞれに配置されるようにしてもよい。
また、上述の第１実施形態の調光フィルムのスペーサーについても同様である。
【００７０】
〔配向層〕
配向層１１３、１１７は、ポリイミド樹脂層をラビング処理して作製される。なお、配向層１１３、１１７は、液晶層１０８に係る液晶材料に対して配向規制力を発現可能な各種の構成を適用することができ、いわゆる光配向層により作製してもよい。
なお、光配向層の材料には、光配向の手法を適用可能な各種の材料を適用することができるものの、例えば、一旦配向した後には、紫外線の照射によって配向が変化しない、例えば光二量化型の材料を使用することができる。この光二量化型の材料については、「Ｍ．Ｓｃｈａｄｔ，  Ｋ．Ｓｃｈｍｉｔｔ，  Ｖ．  Ｋｏｚｉｎｋｏｖ  ａｎｄ  Ｖ．  Ｃｈｉｇｒｉｎｏｖ  ：  Ｊｐｎ．  Ｊ．  Ａｐｐｌ．Ｐｈｙｓ．，  ３１，  ２１５５  （１９９２）」、「Ｍ．  Ｓｃｈａｄｔ，  Ｈ．  Ｓｅｉｂｅｒｌｅ  ａｎｄ  Ａ．  Ｓｃｈｕｓｔｅｒ  ：  Ｎａｔｕｒｅ，  ３８１，  ２１２（１９９６）」等に開示されている。
【００７１】
〔液晶層〕
液晶層１０８は、棒状に形成されたゲストホスト液晶分子１０８Ａ及び二色性色素１０８Ｂによるゲストホスト液晶の溶液により形成され、この種の調光フィルム１１０に適用可能な各種の液晶層材料を広く適用することができる。
【００７２】
調光フィルム１１０は、透明電極１１１、１１６への印加電圧の変更により液晶層１０８の電界が変化し、垂直配向と水平配向とで液晶分子１０８Ａの配向を変化させる。調光フィルム１１０は、この液晶分子１０８Ａの配向の変化に連動して、その長軸方向の向きが液晶層１０８の厚み方向と厚み方向と直交する方向とで変化する二色性色素１０８Ｂにより入射光の透過を制御する。
【００７３】
調光フィルム１１０は、液晶分子１０８Ａにいわゆるポジ型の液晶組成物を適用して、液晶層１０８への無電界時、液晶分子を垂直配向（調光フィルムの厚み方向に配向）させ、液晶層１０８の電界印加時に液晶分子を水平配向（調光フィルムの厚み方向に直交する方向に配向）させ、これによりいわゆるノーマリーホワイトにより構成される。
なお、調光フィルム１１０は、液晶分子にいわゆるネガ型の液晶組成物を適用して、液晶層１０８への無電界時、液晶分子を水平配向させ、液晶層１０８の電界印加時に液晶分子を垂直配向させ、これによりいわゆるノーマリーブラックにより構成されるようにしてもよい。
また、これらの水平配向時において液晶分子を旋回させてもよく、これらによりＶＡ方式、ＴＮ方式等、種々の駆動方式を広く適用することができる。
ここで、ゲストホスト方式において、ＶＡ（Ｖｅｒｔｉｃａｌ  Ａｌｉｇｎｍｅｎｔ）方式は、無電界時、液晶層１０８の液晶分子は垂直配向し、電界印加時、液晶分子を垂直配向させる方式である。また、ＴＮ（Ｔｗｉｓｔｅｄ  Ｎｅｍａｔｉｃ）方式とは、電界の印加により、液晶分子の配向を垂直方向（厚み方向）と水平ねじれ方向とで変化させる方式である。
【００７４】
〔シール材〕
調光フィルム１１０は、液晶層１０８を囲むように、シール材１１９が配置され、このシール材１１９により上側積層体１０５Ｕ、下側積層体１０５Ｄが一体に保持され、液晶材料の漏出が防止される。シール材１１９は、例えばエポキシ樹脂、アクリル樹脂等の熱硬化性樹脂や紫外線硬化性樹脂等を適用することができる。
【００７５】
〔電源の周波数〕
図９は、本実施形態に係る調光システムの透光時における給電点からの距離Ｌにおける透過率と電源周波数との関係を示す図である。ここで、図９に示す、Ｌ＝２５ｍｍ〜１００ｍｍまでの透過率は、実測結果であり、Ｌ＝２５０ｍｍ〜２０００ｍｍの透過率は、上述の実測結果に基づいて近似式を求め、その近似式に基づいて求めた結果である。
図１０は、図９の透過率の判定結果を示す図である。図１０においては、第１実施形態（図５）の場合と同様に、透過率２９％以上を「〇」、透過率２６％以上２９％未満を「△」、透過率２６％未満を「×」により示す。判定結果「○」及び「△」は、透過率が２６％以上であり実用上十分であるものと判定する。
【００７６】
この図９によれば、ゲストホスト方式による調光フィルム１１０において、距離Ｌの増大により透過率が低下し、さらにこの透過率の低下は周波数が高くなるにつれてより顕著になる傾向がある。給電点からの距離Ｌが、１２５０ｍｍ以下であれば、周波数が１０００Ｈｚの矩形波においても、必要十分な透過率（２６％以上）を得ることができるが、駆動周波数を１０００Ｈｚのように高周波にした場合、調光フィルム１１０の駆動による消費電力が大きくなりすぎてしまうため望ましくない。
そこで、ゲストホスト方式の調光フィルム１１０を有する調光システム１０１は、駆動周波数を４８０Ｈｚ以下に設定し、距離Ｌが１２５０ｍｍ以下において、必要十分な透過率を実現するとともに、調光フィルム１１０の駆動による消費電力が大きくなりすぎてしまうのを防ぐ。
また、この実施形態でも、上述の第１実施形態と同様に、駆動周波数４５Ｈｚよりも大きくすることにより、電源の極性の切り替えが起因となるちらつき（フリッカ）が発生してしまうのを抑制することができる。
以上より、本実施形態の調光システム１０１では、周波数４５Ｈｚを超える周波数であって周波数４８０Ｈｚ以下の矩形波により振幅０Ｖ〜２０Ｖの範囲で駆動用の電源Ｖ０を供給する。
【００７７】
〔シート抵抗〕
また、この実施形態において、調光フィルム１１０は、透明電極１１１及び１１６が、第１実施形態における積層体１５Ｕ、１５Ｄにおける透明電極と同様にして作成され、これによりシート抵抗が５０Ω／□以上３００Ω／□以下であるように設定される。なおシート抵抗は、好ましくは５０Ω／□以上２００Ω／□以下であり、より好ましくは５０Ω／□以上１５０Ω／□以下であるように設定される。
これにより、本実施形態では、駆動用の電源の周波数を設定してちらつきを有効に回避し、さらに、充分な透過率を確保し、効率良く調光を図ることができる。
【００７８】
仮に、シート抵抗が上記範囲よりも大きくなると、波形なまりも大きくなり、これにより透過率が低下することになる。また、駆動用の電源の周波数の低下によるちらつきも目立ち易くなる。そのため、上述の周波数範囲で調光フィルムを駆動した場合あっても、ちらつきが知覚され、さらには透過率の低下が知覚される恐れがある。
したがって、本実施形態では、シート抵抗の範囲を上記のように設定し、ちらつきを有効に回避して十分な透過率を確保し、透過光の制御に関して高い性能を確保することができる。
【００７９】
〔積層体の透過率〕
さらに、調光フィルム１１０は、第１実施形態と同様にして、上側積層体１０５Ｕ、下側積層体１０５Ｄも透過率（全光線透過率）が、それぞれ８５％以上９２％以下であるように作成される。なお積層体１０５Ｕ、１０５Ｄの透過率は、好ましくは８９％上９０％以下である。
これにより調光システムでは、上側積層体１０５Ｕ、下側積層体１０５Ｄによる調光フィルム１１０の透過率の低下を十分に防止する。
【００８０】
〔給電点〕
またさらに、この実施形態において、調光フィルム１１０は、調光フィルム１１０の面内の任意の箇所から、給電点Ｐまでの距離Ｌが、１２５０ｍｍ以下であることが望ましい。図８及び図９に示す結果により、周波数４８０Ｈｚ以下による駆動において、距離Ｌが１２５０ｍｍ以下の場合には、２６％以上の透過率を確保することができるが、距離Ｌが１２５０ｍｍを超えてしまうと２６％以上の透過率を確保することが困難になるからである。
以上より、本実施形態では、給電点から調光フィルム１１０の面内の最も離れた位置までの距離Ｌが１２５０ｍｍ以下となるように、調光フィルム１１０の大きさ及び給電点Ｐの位置を設定することによって、局所的な透過率の低下を防止することができる。
【００８１】
また、調光フィルム１１０は、上述の第１実施形態と同様に、車両の各ウインドウ等の外光が入射する部位や、建築物の窓等の面積の広い部位に用いられるため、給電点からの距離Ｌが少なくとも５０ｍｍ以上であることが望ましい。
なお、距離Ｌが５０ｍｍ以上の場合に、周波数の増大による透過率の低下が生じるが、上述の電源の周波数、シート抵抗の設定により、透過率の局所的な変化を極力抑制することができる。
【００８２】
以上より、本実施形態の調光システム１０１は、以下のような効果を奏する。
（１）本実施形態の調光システム１０１は、調光フィルム１１０と駆動電源１０２とを備え、調光フィルム１１０は、液晶分子１０８Ａ及び二色性色素１０８Ｂを含む液晶層１０８を第１の積層体１０５Ｄ及び第２の積層体１０５Ｕにより挟持し、液晶層１０８の液晶分子１０８Ａ及び二色性色素１０８Ｂの配向を制御して透過光を制御する。第１の積層体１０５Ｄは、少なくとも第１の基材１０６及び第１の電極１１１を備え、第２の積層体１０５Ｕは、少なくとも第２の基材１１５及び第２の電極１１６を備える。また第１の電極１１１及び第２の電極１１６は、それぞれ、シート抵抗が５０Ω／□以上３００Ω／□以下であり、給電点Ｐから調光フィルム１１０の面内の最も離れた位置までの距離Ｌが、１２５０ｍｍ以下であり、駆動電源１０２は、周波数４８０Ｈｚ以下の矩形波により駆動用の電源を供給する。
これにより、ゲストホスト方式による調光フィルムに関して、電極１１１、１１６間の静電容量の充放電による波形なまりを十分に抑圧して、局所的な透過率の低下を防止することができ、これにより透過光の制御に関して高い性能を確保することができる。
【００８３】
（２）また、本実施形態の調光システム１０１は、駆動電源１０２が、周波数４５Ｈｚを超える矩形波により駆動用の電源Ｖ０を供給することにより、電源の極性の切り替えが起因となるちらつき（フリッカ）が発生してしまうのを抑制することができる。
【００８４】
（３）本実施形態の調光システム１０１は、給電点Ｐから調光フィルム１１０の面内の最も離れた位置までの距離Ｌが、５０ｍｍ以上であることにより、車両の各ウインドウ等の外光が入射する部位や、建築物の窓等の面積の広い部位に対して調光システムを設けることができる。
【００８５】
（４）本実施形態の調光システム１０１は、第１の基材１０６及び第１の電極１１１の積層体１０５Ｄ、第２の基材１１５及び第２の電極１１６の積層体１０５Ｕは、それぞれ、全光線透過率が８５％以上９２％以下であることにより、これらの積層体による透過率の低下を有効に回避して、透光時、充分な透過率を確保し、透過光の制御に関して一段と高い性能を確保することができる。
【００８６】
（５）本実施形態の調光フィルム１１０の駆動方法は、駆動電源１０２から駆動用の電源を供給して調光フィルム１１０を駆動する方法であって、調光フィルム１１０は、第１の積層体１０５Ｄ及び第２の積層体１０５Ｕにより液晶層１０８を挟持し、ゲストホスト方式により液晶層１０８の液晶分子の配向を制御して透過光を制御する。第１の積層体１０５Ｄは、少なくとも第１の基材１０６及び第１の電極１１１を備え、第２の積層体１０５Ｕは、少なくとも第２の基材１１５及び第２の電極１１６を備える。また第１の電極１１１及び第２の電極１１６は、それぞれ、シート抵抗が５０Ω／□以上３００Ω／□以下であり、給電点Ｐから調光フィルム１１０の面内の最も離れた位置までの距離Ｌが、１２５０ｍｍ以下であり、駆動電源は、周波数４８０Ｈｚ以下の矩形波により前記駆動用の電源を供給する。
これによりゲストホスト方式による調光フィルムに関して、波形なまりを充分に抑圧して、局所的な透過率の低下を防止することができ、調光フィルム１１０の駆動方法は、透過光の制御に関して高い性能を確保することができる。
【００８７】
〔第３実施形態〕
図１１は、本発明の第３実施形態に係る車両を示す図である。図１１は、車両の鉛直上方から見た平面図である。
車両２００は、上述の第１実施形態又は第２実施形態の調光システムを備えた乗用車である。車両２００は、外光が入射する部位（フロントウインドウ２１０、サイドウインドウ２１１、リアウインドウ２１２、ルーフウインドウ２１３）の全てに、上述の第１実施形態又は第２実施形態の調光フィルムが配置されている。また、搭乗者の操作により駆動電源２０２の動作を制御し、各調光フィルム１０、１１０に出力する駆動用の電源Ｖ０の振幅を可変して外光の入射を制御する。
【００８８】
以上より、本実施形態の車両２００は、ＶＡ方式又はゲストホスト方式の調光フィルム１０、１１０を適用して、調光フィルムを配置したフロントウインドウ等の外光が入射する部位において、電極間の静電容量の充放電による波形なまりを十分に抑圧して、局所的な透過率の低下を極力抑制することができ、これにより透過光の制御に関して高い性能を確保することができる。
なお、上述の説明では、調光フィルムは、車両２００の外光が入射する部位の全てに配置される例を示したが、これに限定されるものでなく、これらの一部又は複数の部位に配置されるようにしてもよい。
【００８９】
〔他の実施形態〕
以上、本発明の実施に好適な具体的な構成を詳述したが、本発明は、本発明の趣旨を逸脱しない範囲で、上述の実施形態を種々に変更することができる。
【符号の説明】
【００９０】
１  調光システム
２、２０１  駆動電源
１０、１０１  調光フィルム
１２、１３  直線偏光板
１２Ａ、１３Ａ  位相差フィルム
１４、１０４  液晶セル
１５Ｄ、１０５Ｄ  下側積層体
１５Ｕ、１０５Ｕ  上側積層体
１６、２５、１０６、１１５  基材
１８、１０８  液晶層
２１、２６、１１１、１１６  透明電極
２２、１１２  スペーサー
２３、２７、１１３、１１７  配向層
２９、１１９    シール材
１０８Ａ    液晶分子
１０８Ｂ    二色性色素
２００    車両
２１０    フロントウインドウ
２１１    サイドウインドウ
２１２    リアウインドウ
２１３    ルーフウインドウ
【図１】
2018021308.tif 000003
【図２】
2018021308.tif 000004
【図３】
2018021308.tif 000005
【図４】
2018021308.tif 000006
【図５】
2018021308.tif 000007
【図６】
2018021308.tif 000008
【図７】
2018021308.tif 000009
【図８】
2018021308.tif 000010
【図９】
2018021308.tif 000011
【図１０】
2018021308.tif 000012
【図１１】
2018021308.tif 000013
【国際調査報告】
2018021308.tif 000014
2018021308.tif 000015